(57)【要約】本発明は壁取付けレシーバーを提示し、これは絶縁された又は非絶縁の配管を収容し、１つの入口当たり少なくとも１つの配管、導管又は配線のための少なくとも１つの差し込み口又は入口があり、高度の可撓性で独特な機械的接続保全性を有し、このレシーバーは、独特な可撓性の入口能力を有する任意の指向角から配管を受けるように構成され、このレシーバーは、断熱管、非断熱管、凝縮配管、導管及び配線などの冷凍又は空調設備及び関連する接続に使用するためのものであるが、これらに限定されるものではない。このレシーバーは壁ブラケットを使用することなく異なる壁面形式に装着することができ、冷凍機器の要件に応じて狭い空間サービス領域に適合することができ、新しい建設用途に設置することができ、既存の配管を切断する必要なく既存の設備をアップグレードすることもできる。【選択図】図１Ａ
2018525593.tif 000002
【特許請求の範囲】
【請求項１】
建物に装着されるように適合されて配管、導管又は配線を受け入れるレシーバーであって、このレシーバーは、
前面パネルが設けられたレシーバーハウジングを備え、
前記レシーバーハウジングは前記建物の外部にねじ又はボルトにより取付けられ、
前記レシーバーハウジングは、ねじ又はボルトを案内するための一体化されたソケットを有する複数のアパーチャを有し、
前記レシーバーハウジングの前記前面パネルを通じて開口する少なくとも１つの入側入口開口を備え、
この少なくとも１つの入側入口開口は、前記前面パネルから外方に突出する入口ポートを有し、
前記入口ポートの各々は、前記配管、導管又は配線を受け入れるための開口を有し、
前記入口ポートの各々は可撓性エラストマー材料で製作されており、
前記入口ポートの各々は前記レシーバーハウジングの前記前面パネルに係合するための入口ポートフランジを有し、
前記入口ポートの各々はポート締結具を受け入れるように離間された少なくとも１つの入口ポートガイドを有し、
前記入口ポートの各々は可撓性であり、
前記ポート締結具は前記入口ポートの各々を前記配管、導管又は配線に締め付けるレシーバー。 
【請求項２】
請求項１のレシーバーにおいて、可撓性縁シール又はガスケットが前記建物の前記外部に対して前記レシーバーハウジングに係合するレシーバー。
【請求項３】
請求項１のレシーバーにおいて、前記レシーバーハウジングは、前記レシーバーハウジングの周囲縁を越えて延出するリム又はフランジを有するレシーバー。
【請求項４】
請求項１のレシーバーにおいて、前記配管、導管又は配線、配管断熱プロテクタ、蒸気抑制剤又は蒸気抑制剤を有するコンビネーション配管絶縁体の周囲を絶縁するための絶縁配管カバーを更に備えるレシーバー。
【請求項５】
請求項１のレシーバーにおいて、前記レシーバーハウジングの前記前面パネルは、前記レシーバーハウジング内で前記建物の前記外部から延長され、冷媒銅配管のねじれを生じさせることなく設置できる空洞領域を与えるレシーバー。 
【請求項６】
請求項１のレシーバーにおいて、前記入口ポートから前記レシーバーの底部までのスリットがあるレシーバー。
【請求項７】
請求項６のレシーバーにおいて、前記スリットの各側に配置された一対の隆起したクランプ構造を更に備え、この隆起したクランプ構造の各々は、ねじ、ボルト又は締結具を受けるためのアパーチャを有するレシーバー。 
【請求項８】
請求項７のレシーバーにおいて 少なくとも１つのクランプボルト、ねじ、又は締結具を更に備えるレシーバー。 
【請求項９】
建物に装着されるように適合されて配管、導管又は配線を受け入れるレシーバーであって、このレシーバーは、
前面パネルが設けられたレシーバーハウジングを備え、
このレシーバーハウジングは前記建物の前記外部にねじ又はボルトにより取付けられ、
ガスケット又はシールが前記建物の前記外部に対して前記レシーバーハウジングを係合させ、
前記レシーバーハウジングは、ねじ又はボルトを案内するための一体化されたソケットを有する複数のアパーチャを有し、
前記レシーバーハウジングの前面パネルを通じて開口する少なくとも１つの入側入口開口を備え、
この少なくとも１つの入側入口開口は、前記前面パネルから外方に突出する入口ポートを有し、
前記入口ポートの各々は、前記配管、導管又は配線を受け入れるための開口を有し、
前記入口ポートの各々は前記レシーバーハウジングの前記前面パネルに係合するための入口ポートフランジを有し、
前記入口ポートの各々はポート締結具を受け入れるように離間された少なくとも１つの入口ポートガイドを有し、
前記ポート締結具は前記入口ポートの各々を前記配管、導管又は配線に締め付けるレシーバー。 
【請求項１０】
請求項９のレシーバーにおいて、前記レシーバーハウジングは、第１のレシーバーハウジング区画と第２のレシーバーハウジング区画とを有し、第１と第２とのレシーバーハウジング区画は締結具で取り外し可能に接続されるレシーバー。
【請求項１１】
請求項９のレシーバーにおいて、前記入口ポートから前記レシーバーの底部までのスリットがあるレシーバー。
【請求項１２】
請求項１１のレシーバーにおいて、前記スリットの各側に配置された一対の隆起したクランプ構造を更に備え、この隆起したクランプ構造の各々は、ねじ、ボルト又は締結具を受けるためのアパーチャを有するレシーバー。
【請求項１３】
請求項１２のレシーバーにおいて、少なくとも１つのクランプボルト、ねじ、又は締結具を更に備えるレシーバー。
【請求項１４】
請求項９のレシーバーにおいて、前記入口ポート内に細長いスリット開口を更に備えるレシーバー。
【請求項１５】
請求項９のレシーバーにおいて、前記レシーバー内に細長いスリット開口を更に備えるレシーバー。
【発明の詳細な説明】
【背景技術】
【０００１】
関連出願への相互参照
この出願は、２０１５年７月２７日に出願された米国特許出願第１４８１０３７８号の一部継続出願であり、これは２０１１年２月１８日に出願された米国特許出願第１２９２９８３２号（２０１５年７月２８日に米国特許第９０９１３７７号として発行され、２０１０年２月１９日に出願された米国仮特許出願第６１３０６０３０号の利益を主張している）の優先権を主張し、全ての参照された出願は、参照によりその全体が本明細書に組み込まれている。
【０００２】
一般に本発明は、空調空気漏れ、大気浸入、湿気、齧歯類や昆虫を防止するための効率的で審美的な方法における或る種の新規で有用で必要な改善に関する。
【０００３】
壁レシーバーは、住宅及び商業用建物における長期的な最適なエネルギー効率を改善するための現在及び将来の方法を支援して改善し、住宅及び商用エネルギーモデルコード及び住宅及び商業用建物モデルコードに従うことを目指している。
【０００４】
上述と組み合わされて、建物の開窓は重要なエネルギー効率問題となっている。建物内に入る屋外大気の閉塞又は極小化、並びに建物を出る室内空調空気漏洩の閉塞又は極小化は、非常に重要な問題であり、調整された屋内建物温度に悪影響を及ぼし、冷却又は暖房機械システムはより激しく、より長く働き、より多くのエネルギー消費をもたらす。
【０００５】
冷媒ラインによって壁貫通が必要とされる場合には、多くの関連する性能の設置上の課題もあり、これは密閉、美観、柔軟性、隔離、振動、壁膜及び／又は冷媒配管の劣化、又はその両方の組み合わせを含む。多くの場合、複数の空調システム又は暖房システムとそのそれぞれの冷媒配管が１箇所に集中しているので、設置者が設置し、シールし、腐食及び／又は劣化から保護することが困難になる。従って、冷媒配管を迅速で、効率的で、美的で、単体方式及び／又は系統的複数バッテリ群方式で受け入れることができるレシーバーが必要とされている。これらのタイプの設置は、一戸建て住宅、多世帯アパートメント型ビル、商業ビル、オフィスビル、及び同じ領域に複数のユニットシステムが設置されている場合に一般的である。 
【０００６】
これらの設置が行われている多くの異なる方法があり、例えば、凹部ボクシング法であり、これは、設置者により、外壁に組み立てられて埋め込まれた金属製の箱を有し、冷媒配管が通るようにして、ウレタン発泡体又は他の種類の封止材で全周をシールすることによって行われる。しかしながら、この種の取付けは、長期シールの不適切な使用による潜在的なエネルギー節減を損ない、審美的には、凹部ボクシング法は見栄えが悪くて壁の未仕上げの空洞を伴い、硬化したウレタン発泡体材料は破損し、漏れ空隙ひいては更なるエネルギー損失をもたらす。
【０００７】
外壁の粗い膜に取付けられて埋設され、シートメタル、プラスチック又はそれらの組み合わせで製作された単一の入口ルーフフラッシングを使用する現在使用されている設備がある。フラッシングは、単一の金属領域を通過するように設定された冷媒配管用の領域を含むために使用され、他のフラッシングは、異なる直径に対応するように伸張する配管のシール用のネオプレン弾性単一領域を含む。
【０００８】
しかしながら、これらの設置法には、金属のみのフラッシングを使用する幾つかの抑制があり、配管とフラッシングの環状金属領域との間に残された隙間の空気漏れを封止する必要があるばかりでなく、封止するのが非常に困難な中空領域が生じる。これらの設備は、現在、これらの冷媒配管の一定の振動のために非常に短時間で機能しなくなる粘着テープでシールされており、たびたび大きな空隙が残り、また、そのような使用を意図していない発泡封止材は短時間で破損し、大きな隙間を残す傾向があり、これにより害虫、齧歯類、空気又は湿気が建物に入ることが可能になる。屋根フラッシングは、施工が行われている間、粗い壁に設置されていなければならないため、設置者に取付けの選択枝の余地が無いという点でも限定されている。これは、設置者が構築中に設置するのを忘れる、又は忘れた場合、実際の問題になる。もう１つの制限は、単一の通路が、収容するのに困難な角度を必要とする非常に薄い領域を保持し、充分な表面の連続性を欠き、効率的な設置が不可能になることである。これはフラッシングの外面漏斗形状の組み合わせによるものであり、及び／又は過度に何度も収容若しくは受け入れるのが困難な指向角から配管を受け入れる柔軟性の欠如に起因する。更に、金属製又はプラスチック製の屋根フラッシングが使用されているか否かに関わらず、フラッシングのネック領域半径で終わる支持されていない外壁フラッシング材料は、シール材料を塗布するのに困難で支持されていない表面積を作り出す。これは全て、未仕上げの材料間隙、割れ目、及び上記の全ての問題の原因となる亀裂がある領域を形成するために組み合わされる。屋根のフラッシングのもう一つの制限は、冷媒配管が外壁に出入りする前に壁に様々な角度から対処するので、単一の開口が欠けているという柔軟性の欠如である。米国特許第５,２８８,２６７号（Ｒｏｄｒｉｇｕｅｚ）及び米国特許第７,７３０,６８１号（Ｇｉｌｌｅｒａｎ）を参照されたい。
【０００９】
更に、経済的に実現可能とは限らない外装の硬質プラスチック壁シールドを使用する最終的な設置方法がある。線形冷媒配管の大部分は、外壁の内室内に設置されている。空気漏洩を防ぐためのシールと上述の全ての問題は、そのシステムの特徴ではない。更に、剛性シールドには、柔軟性が課題となり、これらの「追従しにくい」配管パターンを完全に包囲するための重要な要求があるため、制限がある。
【００１０】
市場には完全な壁取付け用レシーバーの要請がある。設置者は、改善の余地が非常に多く、シーリング、美観、取付け、振動、隔離に制限があり、設置に時間がかかる「暫定的」若しくはカスタム製作又は不適切な用途形式の製品に頼らざるを得なかった。従って、設置が容易であり、操作が非常に効率的な壁取付けレシーバーが必要とされている。
【００１１】
発明の目的
本発明の主な目的の１つは、壁取付けレシーバーを提供することであり、これは長期的なエネルギー効率の高い冷媒配管設備を創出し、これは接着剤、テープ、発泡充填剤に依存せず、改善された審美性及び単一及び複数の注入口、接続、及びサイズ、並びにそれらの任意の他の組み合わせを含む機械的取付けを組み込む。本発明の他の更なる目的は、単一の絶縁ラインセット又は複数の冷媒配管セット又はバッテリ冷媒配管セットを単一の入口又は複数の入口を空気漏洩に対してシールして固定する能力を有する単一の壁レシーバーに機械的に接続することである。異なる直径に対応し、同じ壁レシーバー内に１つ又は複数の入口を含めることができる。
【００１２】
本発明の他の目的は、冷媒配管の切断を必要とせずに既存の接続された用途に壁レシーバーを設置することができ、壁に取付けられたレシーバー入口は、極端な角度でシールすることを可能にし、ラインセットパターンをシールするのが困難であることに適応する高い柔軟性を提供する高度の可撓性を有する。壁取付けレシーバーにより、経済的な設置解決より、冷媒配管を切断せずに設置することが可能な最長の線形性を可能にし、軟銅配管の必要な曲げ半径を可能とし、余分な配管、フィッティング若しくはジョイントをはんだ付けする必要性を伴うことなく、設備サービスポイントで抜け出る。
【発明の概要】
【００１３】
建物に取付けて配管、導管又は配線を受け入れるように適合されたレシーバーであり、このレシーバーは、前面パネルが設けられたレシーバーハウジングを備え、そのレシーバーハウジングは、ねじ又はボルトによって建物の外部に取付けられており、そのレシーバーハウジングはフランジ又はリムを有することができ、これはレシーバーハウジングの周縁を越えて延在し、レシーバーハウジングは、ねじ又はボルトを案内するための一体化されたソケットを有する複数のアパーチャを有し、レシーバーハウジングの前面パネルを貫通する少なくとも１つの入側入口開口であり、この少なくとも１つの入側入口開口は、前面パネルから外方に突出する入口ポートを有する少なくとも１つの入側入口開口を備え、その各入口ポートは配管、導管又は配線を受け入れるための開口を有し、各前記入口ポートは可撓性エラストマー材料から製作されており、各入口ポートは、レシーバーハウジングの前面パネルに係合するための入口ポートフランジを有し、各入口ポートは、ポート締結具を受け入れるように離間された少なくとも１つの入口ポートガイドを有し、各入口ポートは、傾斜しており及び／又は可撓性であり、ポート締結具は各入口ポートを配管、導管又は配線に締め付けるためのものであり、入口ポートからレシーバーの底部までのスリット又は細長いスリット開口又はチャネルを備える。細長いスリット開口又はチャネルは、入口ポート、レシーバー、又は両方の構造物の中に存することができる。
【００１４】
レシーバーは、レシーバーハウジングの周縁を越えて延在するリム又はフランジを有することもでき、ガスケット、シール又はエラストマーエッジシールは、レシーバーハウジングを建物の外部に係合させることができ、レシーバーハウジングの前面パネルは、レシーバーハウジング内に、建物の外部から離れて延伸する空洞領域を提供するように傾斜させることができ、レシーバーハウジングは、固定締結具又はねじ付きロッド又はねじ又はボルトによって建物の外部に取付けられ、ポート締結具は、クランプ、リング又はねじ留め締結具であり、レシーバーは、配管、導管又は配線の周りの絶縁のための断熱配管カバー、蒸気抑制剤或いは断熱材と蒸気抑制剤との組み合わせを有することもでき、レシーバーは、入口ポート及び／又はレシーバーにスリット又は細長いスリット開口を有することができ、スリットの各側に配置された少なくとも１つの、複数の、又は一対の隆起したクランプ構造が存在してもよく、この隆起したクランプ構造の各々は、ねじ、ボルト又は締結具を受け入れるためのアパーチャを有する。また、レシーバーハウジング内には、管又は配管のねじれを生じさせずに設置できるように、建物の外部から延長された空洞領域が存在してもよい。
【００１５】
建物に取付けて配管、導管又は配線を受け入れるように適合されたレシーバーであり、このレシーバーは、前面パネルが設けられたレシーバーハウジングを備え、このレシーバーハウジングは、建物の外部に締結具、ねじ又はボルトにより取付けられ、このレシーバーハウジングは、ねじ又はボルト又は締結具を案内するための一体的なソケットを有する複数のアパーチャを有し、このレシーバーハウジングの前面パネルを通じる少なくとも一つの入側入口開口があり、この少なくとも１つの入側入口開口は、前面パネルから外方に突出する入口ポートを有し、この入口ポートの各々は配管、導管又は配線を受け入れるための開口を有し、この入口ポートの各々は可撓性エラストマー材料から製作されており、この入口ポートの各々は、レシーバーハウジングの前面パネルに係合するための入口ポートフランジを有し、この入口ポートの各々は、ポート締結具を受け入れるように離間された少なくとも１つの入口ポートガイドを有し、この入口ポートの各々は可撓性又は角度をなしており、前記ポート締結具は前記入口ポートの各々を配管、導管又は配線へ締め付けるためのものであり、入口ポートに細長い開口スリット又はチャンネルがあり、エラストマーエッジシールは、レシーバーハウジングを建物の外部に係合させることができ、レシーバーは、配管、導管又は配線の周囲を断熱するための断熱配管カバー、配管断熱保護体又は蒸気抑制剤或いは断熱材と蒸気抑制剤層との組み合わせを有することができ、レシーバーハウジングは、第１のレシーバーハウジング区画及び第２のレシーバーハウジング区画を有することができ、その第１及び第２のレシーバーハウジング区画は、雄コネクタ片及び雌コネクタ片に取り外し可能に接続され、細長い開口スリット及び少なくとも１つの締め付けボルト、ねじ、又は締結具の近傍に、１つ、複数、又は少なくとも２つのクランプ穴があってよく、細長いスリット開口は、入口ポート、ハウジングにあることができるか、又は入口ポートからレシーバーハウジングまで延在することができ、可撓性エラストマー材料でシールするように断熱することができ、エラストマーエッジシールは、レシーバーハウジングを細長い開口スリットを除いて又は含めて建物の外面に係合させることができる。
【００１６】
建物に取付けて配管、導管又は配線を受け入れるように適合されたレシーバーであって、このレシーバーは、前面パネルが設けられたレシーバーハウジングを備え、このレシーバーハウジングは、ねじ又はボルトにより建物の外側に取付けられており、このレシーバーハウジングは、ねじ、ボルト、雄及び雌締結具又は一体型締結具を案内するための一体型ソケットを有する複数の開口を有し、レシーバーハウジングの前面パネルを通じる少なくとも１つの入側入口開口を有し、この少なくとも１つの入側入口開口は、前面パネルから外方に突出する入口ポートを有し、この入口ポートの各々は、配管、導管又は配線を受け入れるための開口を有し、この入口ポートの各々は、前記レシーバーハウジングの前面パネルに係合する入口ポートフランジを有し、この入口ポートの各々は、ポート締結具を受け入れるように離間された少なくとも１つの入口ポートガイドを有し、そのポート締結具は前記入口ポートの各々を配管、導管又は配線に締め付けるためのものであり、入口ポートからレシーバーの底部部分までのスリットを有する。レシーバーハウジングは、第１のレシーバーハウジング区画と第２のレシーバーハウジング区画とを有することができ、第１及び第２のレシーバーハウジング区画は締結具により取り外し可能に接続され、スリットの近傍に締結具（ボルト、ねじ、及びナットを含むが、これらに限定されるものではない）を収容するための締め付け穴を有する少なくとも２つの保持要素を有する。
【００１７】
本発明は、機械設備が屋外又は屋内に設置されるサービス点において冷媒配管を許容若しくは受け入れる壁取付けレシーバーに関する。建物若しくは壁のレシーバーは、射出成形されたプラスチックから製造することができ、これはアクリロニトリル・スチレン・アクリラート（ＡＳＡ）硬質ポリ塩化ビニル（ＰＶＣ）又はアクリル・ブチレン・スチレン（ＡＢＳ）などから製造され、金属から製作又は成型されて製造することができる。これらの言及されたプラスチック材料は、添加剤の使用によって長期間の屋外露呈に抗することができる。レシーバーにも装着されて配管を受け入れる一つ又は複数の入口は、Ｓａｎｔｏｐｒｅｎｅブランドの熱可塑性ゴム、ネオプレン（ポリクロロプレン合成ゴム）、シリコーンなどの弾力性のある可撓性材料であるプラスチックで作られた半径構造を有する。この材料の柔軟性と弾力性の重要性は、異なる直径サイズの異なる配管に対応するために、これらの特徴に最適な接続点があるので、弾性材料の要件は重要な複数サイズの適合能力である。密閉されて可撓性で支持された嵌合を利用して、入口からの空気漏れ等を防止することができ、更に、二次的保持締結具も利用して、冷媒配管が壁を通過する際の連続的機械的接続、保全、及び長期期間シーリングを保証する。
【００１８】
締結具は壁取付けのための壁取付けレシーバーの一部であり、壁膜厚さ要件に応じて異なる長さになることがある。壁レシーバーはまた、壁に直接容易に取付けることを可能にする締結具開口又はアパーチャを含むことができる。キャップの使用は、締結具の開口領域を覆うためにも使用することができる。
【００１９】
異なるサイズ寸法の絶縁配管又は非断熱配管を収容するための壁取付けレシーバーは、高い程度の柔軟性と独特な機械的接続保全性を有する同一のレシーバー内に１つ又は複数の入口及び／又は入口を収容して、入口ごとに単一又は複数の配管導管又は配線を収容することができる。装着された壁レシーバーは、絶縁された配管又は非絶縁配管を独特の可撓性入口能力を有する任意の指向角から受け入れるように配置される。壁レシーバーは、任意の種類の屋外又は屋内サービス冷却設備配管を備えた建物に使用される。壁レシーバーは、空調又は冷却設備及びそれぞれのサービス冷媒ラインにも対応することができ、これは断熱配管、非断熱配管、凝縮配管、導管及び配線を含むが、これらに限定されるものではない。
【００２０】
壁取付けレシーバーは、壁ブラケットを使用することなく異なる壁面材に装着することができまる。壁材は、石積み、レンガ、羽目板、スタッコ及びコンクリートが含まれるが、これらに限定されるものではない。壁取付けレシーバーは、冷却設備の必要条件に応じて狭いスペースのサービス領域にも適合することができる。壁取付けレシーバーは、新たな建築用途のためのオプションとして、既存の配管を切断したり、既存の設備を置き換えたりする必要なく、既存の設備をアップグレードするように、また、既存の配管を切断する必要なく、既存の設備に追加するために、全てが美的かつ効率的な方法で行われるように設計されている。
【００２１】
本発明は、このような改良を導入する。その好ましい実施形態では、本発明は、それらの利点を最適化するために一緒に使用されることが好ましいが、独立して使用することができる幾つかの態様又は様相を有する。本発明の前述の動作原理及び利点の全ては、添付図面を参照して、以下の詳細な説明を考慮することによって、より完全に理解されるであろう。 
【図面の簡単な説明】
【００２２】
【図１】図１Ａ、図１Ｂ及び図１Ｃは、それぞれ本発明の１つの好ましい実施形態の正面斜視分解図、断面図及び背面図であり、これは設置ハードウェアを含む１ピースフランジ付き壁レシーバーである。図１Ｄは入口区画内の配管を有する図１Ａの実施形態の断面図を示す。
【図２】図２Ａ、図２Ｂ及び図２Ｃは、それぞれ本発明の１つの好ましい実施形態の正面斜視分解図、断面図及び背面図であり、これは設置ハードウェアを含む１ピース流線型壁レシーバーである。図２Ｄは入口区画内の配管を有する図２Ａの実施形態の断面図を示す。
【図３】図３Ａ、図３Ｂ及び図３Ｃは、それぞれ本発明の１つの好ましい実施形態の正面斜視分解図、断面図及び背面図であり、これは設置ハードウェアを含む２ピース区画壁レシーバーである。
【図４】図４Ａ、図４Ｂ、図４Ｃ及び図４Ｄは、それぞれ本発明の１つの好ましい実施形態の正面斜視分解図、右側分解図、背面分解図及び断面図であり、これは設置ハードウェアを含む２ピース区画壁レシーバーである。
【図５】図５Ａ、図５Ｂ及び図５Ｃは、それぞれ本発明の１つの好ましい実施形態の正面斜視分解図、断面図（右側からの）及び正面図であり、これは設置ハードウェアを含む２ピース区画壁レシーバーである。
【図６】図６Ａ、図６Ｂ、図６Ｃ及び図６Ｄは、それぞれ本発明の１つの好ましい実施形態の背面斜視分解図、正面斜視分解図、断面図（右側からの）及び背面図であり、これは１ピーススリット壁レシーバーであり、これもまたカット切り込みラインオプション及び設置ハードウェアを特徴としてもよい。
【図７】図７Ａ、図７Ｂ、図７Ｃ及び図７Ｄは、それぞれ本発明の１つの好ましい実施形態の背面斜視分解図、正面斜視分解図、断面図（右側からの）及び背面図であり、これは１ピーススリット壁レシーバーであり、これもまたカット切り込みラインオプション及び設置ハードウェアを特徴としてもよい。この好ましい実施形態では、チャネル、細長い開口又はスリットは、設置者が切断してスリットを可能にするために予めスコアリングすることができるか、又は、細長い開口、チャネル又はスリット又はその両方の組み合わせ内にオーバーモールドされたガスケットを含むように「予めスリットのある開口」として製作することができる。
【図８】図８は、本発明の１つの好ましい実施形態の正面斜視分解図であり、これは、設置ハードウェアを含む２ピース型断面壁レシーバーである。
【符号の説明】
【００２３】
１００−レシーバー
１０１−レシーバー角度範囲設計
２００−レシーバーガスケット
３００−入口基部又はフランジ
４００−入口 
４０１−隆起ライン又はガイド 
４０２−クランプ指定エリア 
４０３−切断ライン又は脆弱ライン
４０４−リブ又はスタンドオフ 
４０５−クランプ式締結具 
５００−機械的締結具；クランプ 
６００−セルフタッピングねじ又は締結具 
７００−締結具ワッシャシール 
８００−締結具のためのアパーチャ 
９００−周辺フランジ又はリム（狭いエッジ周辺） 
１０００−レシーバー 
１２００−レシーバーシール 
１３００−入口基部又はフランジ 
１４００−入口 
１５００−クランプ式締結具 
１６００−セルフタッピングねじ又は締結具 
１７００−締結具ワッシャシール 
１８００−締結具のためのアパーチャ；アパーチャガイド 
１９００−レシーバー周囲（後端） 
２０００−第１レシーバー区画 
２０５０−第１のレシーバー周囲フランジ又はリム（狭いエッジ周囲） 
２１００−第１のレシーバーガスケット 
２２００−第１のレシーバー入口基部 
２３００−第１のレシーバー入口 
２３５０−第２のレシーバー入口 
２３５１−第２のレシーバー入口スリット 
２４００−クランプ締結具タイプ 
２５００−第１のレシーバーのセルフタッピングねじ又は締結具 
２６００−第１のレシーバー締結具ワッシャシール 
２７００−締結具のための第１レシーバーアパーチャ 
２８００−第２のレシーバー雌ねじ部分（保持ハウジング） 
２８５０−第２のレシーバーシール
２８５２−第２のレシーバーガスケット 
２８６０−第２のレシーバーボルト又はねじ式アセンブリ締結具（第１及び第２の区各区部分に取付け） 
２８６１−第１のレシーバー締結具ワッシャシール 
２８８０−締結具のための第１のレシーバーアパーチャ 
２９００−第２のレシーバー区画 
３０００−第１のレシーバー区画 
３００１−第２のレシーバー区画 
３１００−第１のレシーバーシール 
３１０１−第１のレシーバーリブ又はスタンドオフ 
３１０２−第２のレシーバーシール 
３２００−第２のレシーバー入口基部 
３２０１−第１のレシーバー入口基部 
３３００−第２のレシーバー入口 
３３０１−第１のレシーバー入口 
３３０２−第２のレシーバー入口及び入口基部スリット 
３３０３−第１のレシーバー内部入口スリット 
３４００−第１及び第２のクランプ式締結具 
３５００−第１及び第２のレシーバーセルフタッピングねじ又は締結具 
３５０１−第１及び第２のレシーバーボルト又はねじ式アセンブリ締結具（第１及び第２の区画部分に取付け） 
３６００−第１及び第２のレシーバー締結具ワッシャシール 
３７００−セルフタッピングねじ又は締結具のための第１及び第２のレシーバーアパーチャ 
３７０１−アセンブリ締結具の第１及び第２のレシーバーアパーチャ 
３７０２−第１及び第２のレシーバー雌ねじ付き挿入体 
３７０３−第１及び第２のレシーバー位置合わせ案内アセンブリピン 
３８００−第１及び第２のレシーバー雌ねじ式又は非ねじ式レシーバーハウジング及び／又はガイド 
４０００−第１のレシーバー区画 
４００２−第２のレシーバー区画 
４１０１−第１のレシーバーの丸み付け縁とデザイン 
４２００−第１のレシーバーシール 
４２０１−第２のレシーバーシール 
４４００−第１のレシーバー入口
４４０１−第１のレシーバー入口基部 
４４０２−第１のレシーバー連動又は係合入口区画 
４４０３−第２のレシーバー連動又は係合入口区画 
４４０４−第１のレシーバー雄案内チャネル構造 
４５００−第２のレシーバー入口 
４５０１−第２の構造入口基部 
４５０２−第２のレシーバー雌摺動リブ係合構造 
４６００−第１及び第２のレシーバークランプ式締結具 
４７００−第１のレシーバーのセルフタッピングねじ又は締結具
４７０１−第１のレシーバー締結具ワッシャシール 
４８００−締結具のための第１のレシーバーアパーチャ 
４８５０−第１及び第２のレシーバークランプ式締結具 
４９００−第２のレシーバー一体係止ピン 
６０００−レシーバー 
６００１−切り込みライン又はスリット 
６００２−入口基部 
６００３−入口 
６００４−補強構造リブ 
６００５−セルフタッピングねじ；締結具 
６００６−クランプ式締結具 
６００７−締結具ガイド 
６００８−レシーバーガスケット 
６００９−ワッシャ 
７０００−レシーバー 
７００２−入口基部 
７００３−入口 
７００４−補強構造リブ 
７００５−セルフタッピングねじ又は締結具
７００６−クランプ式締結具
７００７−締結具ガイド 
７００８−レシーバーガスケット 
７００９−ワッシャ 
７０１０−レシーバーの下部部分におけるスリット、チャネル又は細長い開口
７０１１−入口におけるスリット、チャネル又は細長い開口 
７０１２−レシーバーの下部部分における切り込みライン領域を封止する締結具のためのアイ、アイホール、案内ホール又はクランプカラー 
７０１３−切り込みライン領域を封止する締結具のためのアイ、アイホール、案内ホール又はクランプカラー 
７０１４−締結具；ボルト 
７０１５−ねじ頭；ボルト締結具 
【発明を実施するための形態】
【００２４】
本発明の１つの好ましい実施形態は、図１Ａ−１Ｄの壁取付けレシーバーであり、これは断熱配管又は非断熱配管又はその両方の組み合わせを収容する少なくとも１つの又は単一の入口４００を組み込んでおり、また、機械的接続オプション５００（限定するものではないが、クランプを含む）を備えた配管断熱保護体を収容する方法である。この入口及びその基部は、機械的アタッチメントと組み合わされた独特なオーバーモールドプラスチック注入３００アタッチメントを備えているので、壁取付けレシーバー１００と取付けられた入口４００との間の優れた結合方法が得られる。図１Ａには、壁貫通配管設備に関連する多くの課題と、専門的で効果的な長期的且つ審美的な方法でこれらを密閉するための多くの難問に対する多くの詳細で有用な解決策が組み込まれている。入口は、丸み付けられたい長いフランジ、長いネックのある開口、トンネル状開口、又はチューブ延長部としても知られている。
【００２５】
図１Ａにおいて、壁レシーバー１００は、所定の角度１０１の範囲を有することができ、設置及び接続に必要な範囲１０１内の外壁に向かって及びこれを通る壁空洞内の配管を曲げて、この配管をねじることなく収容することが可能である。最小限のはんだ付け継手及び嵌合を使用する設置が最も望ましく、というのは、これがより経済的且つ効率的な設置方法であるためである。このタイプの取付けは、改善されたエネルギー効率の長期的な結果で機器のより良い効率及び性能のために流体内の摩擦を最小限に抑える方式であるため、他の経済的利点も有する。配管流体は軟銅配管により輸送され、この銅配管は設置者によって或る程度まで曲げることができ、これは、配管、暖房、空調産業で使用される標準的な慣行である。他の利点は、断熱された配管が気象劣化から壁空洞内部でより保護されることであり、これは長期間のエネルギー効率を維持する。
【００２６】
住宅用及び商業用エネルギーモデルコードでは、熱気又は冷気の大気浸入の建物内への到来、及び／又は建物内の空調空気と組み合わされて建物からの退去を含めてこれらの建物のエネルギー消費に悪影響を及ぼすことの防止を含むエネルギー効率の向上が要求される。図１Ａにおいて、シーリング用ガスケット２００は、異種材料を用いた空気漏れ及び壁面劣化を防止するのに役立ち、このガスケットは、図１Ａに示すような締結具の使用によって補助される。図１Ａにおける壁レシーバーは、締結具を収容するためのアパーチャ８００と、レシーバーの狭い縁周囲又はフランジ９００の周りに適用された付加的なシール（例えば、耐候性のシリコーン又はコーキング）を支持及び許容する周囲フランジ又はリム９００と、壁のレシーバーにおける１つ又は複数の入口点の使用とを含む。アパーチャ８００は、ねじ又はボルトをレシーバーハウジングに通じて案内するための一体化されたソケットを有することができる。
【００２７】
図１Ａに示す壁レシーバーは、任意の形式の壁ブラケットを使用することなく、それ自体で設置される好ましい実施形態であり、図１Ａに示すように、壁レシーバーは、フランジ付きボルト、ねじ及び／又はそれらのそれぞれのシールワッシャの何れかを収容するために、アパーチャガイド１８００の（図２Ａ、２Ｂに示すように）通路の内側の皿頭着座領域と組み合わせたアパーチャを有し、設置者の選択のために利用可能であり、自己タップねじ６００、ボルト、アンカー締結具、トグル締結具、又はそれらの任意の組み合わせを使用して、レシーバー及び壁領域を通過することができる複数の締結具を収容する。壁レシーバー設置ハードウェア締結具は、ワッシャ又はワッシャシール７００を各締結具と共に使用して空気漏れを抑えるのに役立つ。
【００２８】
壁レシーバーは、壁レシーバーアパーチャを越える少なくとも１つの又は単独の入口を有することができる。入口４００及び入口基部３００は、モールドの上にエラストマー材料を使用することによって壁レシーバーに取付けられるか、壁レシーバーにチャネル及び有孔領域を使用して配置された取付け成形サンドイッチ型挿入体によって取付けられる。図１Ａにおいて、入口は、設置者が現場における所望の嵌合寸法に切断できるように、複数の内部切断切り込みライン４０３及び／又は指定された領域案内線を有する。
【００２９】
図１Ａに示すように、クランプ又はリング締結具のために領域４０２を指定するために組み合わせることができる少なくとも１つ又は複数の隆起ライン又はガイド４０１が存することができる。これらの少なくとも１つのライン又はガイド４０１は、必要な長さに切断するために、一体化した脆弱又は外部又は内部のより薄い材料ラインを有する切断ラインガイド４０３又は切り込みラインであってもよい。単独の入口は、図１Ａに示す連続した長ネック４００領域を有することができ、従来の屋根フラッシングに欠如している入口通路の連続性を有し、より高い程度の空気漏れ抑制のための内部通路面積が組み込まれている。同時に、外部入口４００ネック領域は、機械式クランプ又は締結具装置５００（図１Ａ）の保全性を強化して、配管振動制御、耐候性、及び絶縁配管及び／又はそのそれぞれの保護体との不正開封防止接続を可能にする。入口ネック４００は、弾力性及び耐性の高いプラスチックで作ることができる。入口４００及びその入口基部３００は、プラスチック外側被覆、スナップオン締結、ボルト、ねじ付きアタッチメント、挿入された又は他の協働する締結部品によって取付けることができる。壁レシーバー、入口４００及び／又は入口基部３００は、ねじ接続（成形、又はその構造への取付け）を有することができ、任意の配管断熱保護体を壁レシーバーに接続するのを扶助すると共に、入側入口通路として働く。図１Ａに示されるような入側入口及び直径は、複数の直径の入口寸法４００と、嵌合又は接続されることが要求される所望の直径に切断するための切り込みラインを有する寸法にすることができる。
【００３０】
一実施形態では、入口表面ネック４００領域の両面及びその内部領域は、任意の形状、寸法又はパターンのリブ形式又は非リブ形式構成４０４を有する配管及び／又は導管形式又は配線の単独の直径の通路又は複数の直径の通路のために寸法付けることができ、これは空気漏れ及び／又は配管の振動に対して密閉性を増大する。他の実施形態では、これはまた、縮小された又は先細りの直径の小型構造の入口によっても使用することができる。他の実施形態では、入口の形状は、不規則形状を含む断熱配管の一つ又は複数の形状に構成することもできる。
【００３１】
他の好ましい実施形態（図２Ａ−２Ｄ）は、流線型壁レシーバーを示し、これは、制約のある羽目板の表面形式があるか、又は配管が壁などの下端縁に近接して設置されているかなどに関わらず、設置すべき余裕のない空間領域に嵌合する。図２Ａは、壁レシーバー１０００の周縁に配置された非縁リップ１９００若しくはフランジ領域を示す。図２Ａは、取付けられて外側被覆された周囲１９００の縁のシール１２００を示し、壁レシーバーはまた、射出プラスチック結合及び／又は機械的結合、又はその両方の組み合わせによって取付けられた単独１４００入口基部１３００を有する。図２Ａは、ボルト又はねじ頭一体座を含む締結具を収容するためのアパーチャ１８００を示し、図２Ａは、配管の取付けと、選択的配管絶縁保護体の接続とのためのクランプ１５００を示し、また、冷媒配管の振動制御を表し、ここにはハードウェア及び締結具１６００及びワッシャ１７００も存在する。レシーバー本体の形状は、正方形又は長方形として示されているが、他の可能な実施形態は、様々な形状及び寸法、異なる角度の面部分を有することができる。
【００３２】
他の好ましい実施形態（図３Ａ−図３Ｃ）は、図１Ａにおける壁レシーバーを改良して同化したものであり、壁レシーバー２０００を示し、これは、第１区画２０００と第２区画２９００との２ピース設計を採用する。図３Ａに示される好ましい実施形態は、既存の冷媒配管を切断する必要を伴うことなく、設置及び／又は取外される壁レシーバー２０００の設置を可能とし、この実施形態は、配管を再接続するための労力と、冷媒配管によって運ばれるオゾンへのこれらの種類の化学物質の危険な放出とを伴わずに、建物又は再設備を現在のエネルギーコード及び建物コードコンプライアンスにアップグレードすることを意図している。
【００３３】
図３Ａは、既存の配管の上に設置することを容易にし、且つ可能にするために、取り外し可能且つ再取付け可能な壁レシーバーの第２の区画２９００を示しており、美的で経済的で安全な環境的方法であり、空気漏れを防止又は阻止するために第１の区画２０００と第２の区画２９００との間のシール２８５０によるエネルギー効率性も組み込まれており、第２の区画２９００における周囲リム又はフランジはまた、この周囲リム又はフランジ２８５２の裏側にガスケットを組み込んでいる。
【００３４】
図３Ａは、第２の区画２９００の裏側に配置された一体型雌ねじ部分２８００又は保持器ハウジングの第２の区画２９００における係合装置を示しており、雌ねじ挿入体及び正面側２８８０（第１の区画２０００上）におけるアパーチャを収容するために、前記一体型雌ねじ部分２８００との係合のためのねじ又はボルト締結具２８６０及びそのそれぞれのシールワッシャ２８６１の通過を可能とするように、この種の係合装置は、区画２０００と区画２９００とを互いに結合して１つの単独ユニットを形成することを可能とし、この種の係合はまた、第１の区画２０００を第２の区画２９００から取り外すことを可能にする。図３Ａはまた、壁封止のために周囲リム又は２０５０フランジ領域に取付けられたガスケット２１００を示す。
【００３５】
図３Ａにおいて、レシーバー２０００と同じ剛性タイプの材料又は可撓性材料とすることができる断面入口２３００があり、これまた剛性タイプの材料又は可撓性材料とし得る断面基部２２００があり、これらは、２ピース２０００壁レシーバーに取付けるために壁レシーバー２０００と同じ材料を使用することができる。この実施形態はまた、第１の入口区画２３００と、その基部２２００と、係合する第２の入口区画２３５０とを特徴とし、前記第２の入口区画２３５０はスリット又は細長い開口２３５１を含み、前記第２の入口区画２３５０は、前記第１の入口区画２３００の周りを包み込むので、前記第１の入口区画と第２の入口区画との両方は、１つの単独一体型ユニットとなる。そのスリットは、入口の軸と平行な細長い開口とすることもできる。
【００３６】
図３Ａは、取付け締結具、ねじ又はボルトを収容するためのアパーチャ又はチャネル２７００を示す。図３Ａは、クランプ又は入口締結具２４００及び壁レシーバー設置ハードウェアを示し、その壁レシーバー設置ハードウェアは、ねじ又は自己タッピンねじ２５００及びそれぞれのワッシャ２６００を含む。図３の好ましい実施形態は、フランジ付きボルト、ねじ及びワッシャを収容するためにアパーチャガイド１８００の通路の内側に図２Ａに示される皿頭着座領域も採用し得る。
【００３７】
収容若しくは収容体ハウジングは、第１の収容ハウジング区画及び第２の収容ハウジング区画を有することができ、第１及び第２の収容ハウジング区画は、例えば、雄コネクタ片及び雌コネクタ片、スロット／溝接続、及び／又は締結具接続などの様々な接続デバイスに取り外し可能に接続することができ、更に、入口は、複数のピース又は区画、すなわち第１及び第２の入口区画又は上部及び下部入口区画を含むことができ、これらの入口区画は、１つ又は複数の角度でねじ、ボルト又は締結具を受け入れて案内するための一体的アパーチャを有することができる。
【００３８】
他の好ましい実施形態（図４Ａ−４Ｄ）は、２ピース設計壁レシーバー、即ち第１の区画３０００及び第２の区画３００１を特徴とする。壁レシーバーのこの実施形態は、既存の配管を切断する必要なく改造設置が必要であり、配管を再接続するために発展した関連費用が必要な場合に必要である。図４Ａにおける好ましい実施形態は、第２のレシーバー区画３００１（チャネルを有する）である又はそれからなる上部及び第１のレシーバー区画３０００（リブ又は摺動型係合部３１０１を有する）を有し、これらの構造は、第１及び第２の区画の両方の整列及び係合を補助して、１つの単独のレシーバーユニットになり、更に案内組立ピン３７０３を補助する。図４Ａの好ましい実施形態はまた、壁レシーバーの各区画３０００及び３００１の周囲の全ての周りのシール（第２のシール３１００及び第１のシール３１０２）で特徴付けられ、図４Ａは、複数のピース入口部分、即ち、第１の入口部分３３００及び第２の入口部分３３０１を示す。第１の入口部分３３００は、第１の入口部分スリット又は細長い開口３３０２及び基部部分３２００を有し、内部入口スリーブ３３０１があり、これは内部ポートスリーブスリット又は第２のポートスリーブスリット又は細長い開口３３０３及び基部又は第２の部分基部３２０１を含み、内部ポートスリーブ３３０１は、第１の入口部分３３００の内側に嵌合することができ、この複数ピース入口部分はまた、複数の指定領域を特徴付ける。他の実施形態では、内部ポートスリーブ３３０１は、第１の入口部分３３００の上に嵌合することができる。
【００３９】
図４Ａは、入口３３００の真上を通るクランプ式締結具３４００を示す。図４Ａは、設置締結具を示し、これは全て材料のセルフタッピンねじ３５００であり、空気漏れを防止するためのワッシャシール３６００を含む。本明細書で説明される実施形態は、特定のタイプのねじ、ボルト又は締結具に限定されない。図４Ａは、機械加工された組立ねじ３５０１を示し、壁レシーバー第１区画３０００及び壁レシーバー第２区画３００１を単一のユニットに容易に結合する。図４Ａは、異なるパターン、深さ又は向きで成形され、壁レシーバーを壁に固定して取付けるために使用される締結具を収容する複数の開口３７００を示す。図４Ａは、機械加工された組立ねじ３５０１を収容して促進する組立孔３７０１を示す。壁レシーバーは、ねじ式又は機械式に結合された機械的挿入体３７０２又はそれらの組合せの何れかと係合する機械加工された組立ねじ３５０１の使用によって、第１の区画３０００及び第２の区画３００１の係合を案内し、壁レシーバー３０００及び３００１の両方の部分を互いに取付けるのを助け、両方の区画３０００及び３００１が単一の一体化されたユニットになるのを助ける。第１及び第２のレシーバー区画を固定するために、係止クリップ又は係止可能な保持器を含む他の形式の締結具を使用することもできる。
【００４０】
図４Ａは、機械加工された組立ねじ３５０１及び雌型挿入体３７０２を収容し、１つの単独ユニットを補助して形成するための雌ねじ式又は非ねじ式のハウジング若しくはガイド３８００を示す。図４Ａの好ましい実施形態はまた、フランジ付きボルト、ねじ、及び／又はそれらのそれぞれのシールワッシャの何れかを収容する開口ガイド１８００の通路の内側で図２Ａに示される皿頭着座領域を採用してもよい。
【００４１】
他の好ましい実施形態（図５Ａ−図５Ｃ）では、壁レシーバー４０００は、２ピース系であり、これは流線型改造ユニットとして働き、既存配管の設置及び接続が配管の切断を必要とせず、第１の壁レシーバー区画４０００及び第２の壁レシーバー区画４００２があり、これらは互いに結合又は連結されて単一のユニットを形成することができる。図５Ａは、第２の若しくはより小さな区画本体４００２を示し、これは第１の区画若しくはより大きな区画本体４０００に取付けられて１つの単一ユニットを形成する。第１又は第２の区画の相対的な大きさは用途に応じて変えることができるが、これに限定されることを意図したものではない。
【００４２】
図５Ａの好ましい実施形態は、レシーバー区画４０００及び４００２の両方の縁の周りにエラストマータイプ又は可撓性で耐候性の材料４２００及び４２０１をそれぞれ使用して、壁に対して有効にシールすることができる。図５Ａは、第１の入口区画４４００とこの第１の入口区画の基部４４０１、並びに第２の入口区画４５００とこの第２の入口区画の基部４５０１を示し、この実施形態は、第１の壁レシーバー区画４０００及び基部４４０１と同じ剛性材料及び／又はエラストマー材料を含むことができる。これらの複数の区画はまた、可撓性エラストマー材料、又は剛性材料及びエラストマー材料の両方の組み合わせを使用してもよい。
【００４３】
１つの好ましい実施形態では、入口４４００及び４５００の両方の区画及びそれらのそれぞれの基部は、互いに係合又は協働して１つの単独ユニットを形成する。連動入口区画領域４４０２及び４４０３は、協働締結具であり、又は雄／雌相互作用で動作し、単一の入口ユニットを形成し、この装置は、上述の結合された入口のような形状のクランプ式締結具４８５０を使用することができ、上述の入口は、同じ剛性材料又は可撓性エラストマー材料又は両方のタイプの材料の組み合わせを含むことができる。好ましい実施形態はまた、レシーバー区画４０００及び４００２と雄部又は案内チャネル構造４４０４と雌部又は摺動リブ係合構造４５０２との付加的な協働係合を組み込んで、一体的な係止ピン又はクリップ４９００を設けることができ、これらの構造は、この実施形態の部品を補助して単独のユニットに組み立てるのを助ける。図５Ａの好ましい実施形態は、４４００及び４５００の入口区画の周りに固定されるクランプ型締結具４８５０を示す。壁レシーバーは、ワッシャシール４７０１を含む壁レシーバーを壁に固定するために、セルフタッピング締結具４７００のような取付け装置を利用することができる。図５Ａにおいて、第１のレシーバー区画４０００は、セルフタッピング締結具を収容するための開口４８００を有し、第１の壁受レシーバー区画４０００を壁に固定するのを助ける。図５Ａの好ましい実施形態は、フランジ付きボルト、ねじ及び／又はシールワッシャの何れかを収容するためにアパーチャガイド１８００の通路の内側に図２Ａに示された皿頭着座領域を採用することもできる。
【００４４】
図６Ａ−図６Ｄの好ましい実施形態は、図１に示された好ましい実施形態と同様な壁レシーバー６０００を示すが、図６Ａに示される壁レシーバーは、非スリットユニットとして、又はレシーバー６００１の底部領域に完全なスリット（又は入口の軸に平行な細長い開口又はチャネル）を有する選択的な改造代替物として使用することができ、入口基部６００２の底部を通り、入口領域６００３の底部全体に亘って連続する。
【００４５】
他の代替例では、完全なスリット又は開口の代わりに、壁レシーバー６０００の裏側及び入口基部底部６００２の裏側の所定の弱められた切り込み線６００１があり、これは入口底部領域内側６００３の内部通路の全体に亘って連続する。この切り込み線は、レシーバー壁又は入口壁を実際に切断することはできない。好ましい実施形態の特徴は、改造オプションの必要性を必要とするか、又は必要としない設置者のための経済的な代替物である。他の実施形態は、完全なスリット、入口及び／又はハウジング上のスリット上の細長い開口を有してもよい。
【００４６】
図７Ａ―図７Ｄに示されるように、図６Ａの好ましい実施形態は、スリット又は細長い開口の近傍に締結具を収容するためのクランプ穴を有する保持要素を使用してもよく、締結具に協働するように組み込まれた、又は組み込まれていないものとすることができ、又は壁レシーバーの前側又は後側に組み込まれた１つのアイレット又は複数のアイレットと、１つのボルト又は複数のボルトと１つのナット締結具又は複数のナット締結具を単純に使用して、スリットを封止若しくは閉止する（設置者が必要とする場合のみ）。図７Ａ乃至図７Ｄを参照すると、スリット領域の近傍で入口の下部の２つの側部とレシーバーを共に固定するための締結ボルトとねじ頭の配置を可能にする案内孔、アイ（ｅｙｅｓ）又はカラーも存在する。
【００４７】
スリットは、溶剤溶接、接着剤、又は別個の予め設計された構成要素を使用して、また必要に応じてオプションとしてのみ達成することができるので、シールを使用する必要がある場合とない場合がある。図６Ａの好ましい実施形態も接着剤、シール、コーキング、一体型又は別個の共働スナップ締結具、又は壁レシーバーの両側にナット及びボルト締結具を備えた一体型アイレットを使用することもできる。
【００４８】
図６Ａの好ましい実施形態は図１−図５における壁レシーバーと同様に、全て、一体的な再強化構造リブ６００４の使用及び締結具ガイド６００７の使用を採用することもできる。図６Ａの好ましい実施形態は、これまた図１−図５に示されている全ての材料のセルフタッピングスクリュー６００５及びそのそれぞれのワッシャシール６００９を使用することもできる。これらの種のセルフタッピング締結具６００５は、建築業界の標準として採用されており、壁への確実な壁レシーバーの取付けを可能にする一定量のトルクを必要とする。
【００４９】
配管の振動を防止するために、入口はクランプ式締結具６００６と周囲ガスケット６００８を使用することもでき、これは空気漏れを防止し、配管の振動による表面壁の劣化を防止するのに役立つ。図６Ａの好ましい実施形態は、アパーガイド１８００の通路の内側に図２Ａに示される皿頭着座領域をも採用して、フランジ付きボルト、ねじ及び／又はそれらのそれぞれのシールワッシャの何れかを収容する。
【００５０】
図８に示す２ピース実施形態は以下の特徴を有することができる。
４００−エラストマー可撓性材料入口ポート 
４０１− （４０２）を収容する縮小された壁区画を有するエラストマー可撓性材料入口ポート 
４０２ −（４０１）上に嵌合するオーバーサイズ壁区画を有するエラストマー可撓性材料入口ポート 
４０３− エラストマー可撓性材料入口ポートジョイント構造（４０７を有するジョイント） 
４０７− エラストマー可撓性材料入口ポートジョイント構造（４０３を有するジョイント）
１００−このボディには、区画レシーバーを接続するためのガイドピン（雄と雌）がない
１０１−締結具構造 
１０２−締結具ガイド 
１０４−保持締結具構造 
１０５−保持要素構造
【００５１】
必要に応じて、本発明の詳細な実施形態を開示した。しかしながら、開示された実施形態は、本発明の単なる例示であり、様々な形態で実施することができることを理解されたい。開示された特定の構造的及び機能的詳細は、限定的なものとして解釈されるのではなく、単に、特許請求の範囲の基礎として、及び当業者に実質的に任意の適切な詳細構造で本発明を多様に使用することを教示するための代表的な基礎である。更に、使用される名称、見出し、用語及び語句は、主題又は範囲を限定することを意図しておらず、むしろ、本発明の理解可能な説明を提供する。
【００５２】
本発明は、本発明の全機能の一部を独立して提供し、本発明の他の部分と組み合わせた場合にシステムレベルの機能に寄与するいくつかのサブ部分から構成される。用語「ａ」又は「ａｎ」は、「１つ」又は「複数」として規定される。本明細書で使用される用語「複数」は、「２つ」又は「３つ以上」として規定される。本明細書で使用される「他の」という用語は、少なくとも２つ又はそれ以上のものとして規定される。本明細書で使用する「含む」及び／又は「有する」という用語は、備える（即ち、開放言語）として規定される。本明細書で使用されるように、結合されたという用語は、必ずしも直接的ではなく、必ずしも機械的にではないが、接続されたものとして定義される。
【００５３】
特定の機能を実行するための「手段」又は特定の機能を実行するための「ステップ」を明示的に述べていない請求項内の要素は、米国特許法１１２条第６パラグラフに規定されている「手段」又は「ステップ」条項として解釈されない。 特に、本明細書の特許請求の範囲におけるステップの使用は、米国特許法１１２条第６パラグラフの規定を行使することを意図するものではない。
【００５４】
参照による組み込み：本明細書で言及した全ての刊行物、特許及び特許出願は、個々の刊行物、特許又は特許出願の各々が具体的及び個別に示して参照により組み込まれるのと同程度に、参照により組み込まれる。
【図１Ａ】
2018525593.tif 000003
【図１Ｂ】
2018525593.tif 000004
【図１Ｃ】
2018525593.tif 000005
【図１Ｄ】
2018525593.tif 000006
【図２Ａ】
2018525593.tif 000007
【図２Ｂ】
2018525593.tif 000008
【図２Ｃ】
2018525593.tif 000009
【図２Ｄ】
2018525593.tif 000010
【図３Ａ】
2018525593.tif 000011
【図３Ｂ】
2018525593.tif 000012
【図３Ｃ】
2018525593.tif 000013
【図４Ａ】
2018525593.tif 000014
【図４Ｂ】
2018525593.tif 000015
【図４Ｃ】
2018525593.tif 000016
【図４Ｄ】
2018525593.tif 000017
【図５Ａ】
2018525593.tif 000018
【図５Ｂ】
2018525593.tif 000019
【図５Ｃ】
2018525593.tif 000020
【図６Ａ】
2018525593.tif 000021
【図６Ｂ】
2018525593.tif 000022
【図６Ｃ】
2018525593.tif 000023
【図６Ｄ】
2018525593.tif 000024
【図７Ａ】
2018525593.tif 000025
【図７Ｂ】
2018525593.tif 000026
【図７Ｃ】
2018525593.tif 000027
【図７Ｄ】
2018525593.tif 000028
【図８】
2018525593.tif 000029
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
建物に装着されるように適合されて配管、導管又は配線を受け入れるレシーバーであって、このレシーバーは、
前面パネルが設けられたレシーバーハウジングを備え、
前記レシーバーハウジングは前記建物の外部にねじ又はボルトにより取付けられ、
前記レシーバーハウジングは、ねじ又はボルトを案内するための一体化されたソケットを有する複数のアパーチャを有し、
前記レシーバーハウジングの前記前面パネルを通じて開口する少なくとも１つの入側入口開口を備え、
この少なくとも１つの入側入口開口は、前記前面パネルから外方に突出する入口ポートを有し、
前記入口ポートの各々は、前記配管、導管又は配線を受け入れるための開口を有し、
前記入口ポートの各々は可撓性エラストマー材料で製作されており、
前記入口ポートの各々は前記レシーバーハウジングの前記前面パネルに係合するための入口ポートフランジを有し、
前記入口ポートの各々は可撓性であり、
前記ポート締結具は前記入口ポートの各々を前記配管、導管又は配線に締め付けるレシーバー。
【請求項２】
請求項１のレシーバーにおいて、可撓性縁シール又はガスケットが前記建物の前記外部に対して前記レシーバーハウジングに係合するレシーバー。
【請求項３】
請求項１のレシーバーにおいて、前記レシーバーハウジングは、前記レシーバーハウジングの周囲縁を越えて延出するリム又はフランジを有するレシーバー。
【請求項４】
請求項１のレシーバーにおいて、前記配管、導管又は配線、配管断熱プロテクタ、蒸気抑制剤又は蒸気抑制剤を有するコンビネーション配管絶縁体の周囲を絶縁するための絶縁配管カバーを更に備えるレシーバー。
【請求項５】
請求項１のレシーバーにおいて、前記レシーバーハウジングの前記前面パネルは、前記レシーバーハウジング内で前記建物の前記外部から延長され、冷媒銅配管のねじれを生じさせることなく設置できる空洞領域を与えるレシーバー。
【請求項６】
請求項１のレシーバーにおいて、前記入口ポートから前記レシーバーの底部までのスリットがあると共に、前記入口ポートの各々はポート締結具を受け入れるように離間された少なくとも１つの入口ポートガイドを有するレシーバー。
【請求項７】
請求項６のレシーバーにおいて、前記スリットの各側に配置された一対の隆起したクランプ構造を更に備え、この隆起したクランプ構造の各々は、ねじ、ボルト又は締結具を受けるためのアパーチャを有するレシーバー。 
【請求項８】
請求項７のレシーバーにおいて 少なくとも１つのクランプボルト、ねじ、又は締結具を更に備えるレシーバー。
【国際調査報告】
2018525593.tif 000030